(57)【要約】【課題】      一般的に利用頻度が低く、また制度改正が多い為頻繁にプログラムを入れ換えなければならない経営事項審査シミュレーションシステムについて、簡単かつ低コストで利用できるしくみを実現すること。【解決手段】  ユーザー端末１０はインターネット２０を経由してＷＥＢサーバ３０に接続する。ＷＥＢサーバ３０はユーザー端末１０の要求によりアプリケーションサーバ４０の各手段を実行し、アプリケーションサーバ４０はＷＥＢサーバ３０のデータ受信手段３１によりユーザー端末１０から受け取ったデータを処理してコンテンツ送信手段３２によりユーザー端末１０に結果を送信する。【選択図】    図１
2005251151.tif 000002
【特許請求の範囲】
【請求項１】
インターネットに接続されたユーザー端末からのデータ送信に対して建設業に関わる経営事項審査の評点予測値を計算し結果を出力するシミュレーションシステムにおいて、少なくともユーザー端末からの要求を処理するＷＥＢサーバと、必要な情報を記録するデータベースサーバーで構成され、前記ＷＥＢサーバにはユーザー端末にコンテンツを送信するコンテンツ送信手段及びユーザー端末で入力されたデータを受信するデータ受信手段を具備し、さらに前記ＷＥＢサーバーの拡張モジュールもしくは独立したアプリケーションサーバにはユーザーの情報を登録及び照会する受付手段と、ユーザーが入力した情報に基づき計算を行う計算手段とを備えるインターネット上のサーバ及びインターネット上で利用可能な経営事項審査シミュレーションシステム。
【請求項２】
前記計算手段は、各計算区分の組み合わせによる複数の計算結果を同時に出力し、一覧の中からユーザーが計算区分の組み合わせを選択する区分選択手段を備えた請求項１記載のインターネット上で利用可能な経営事項審査シミュレーションシステム。
【請求項３】
前記区分選択手段により選択されたそれぞれの区分を用いて、最終的に算出された計算結果から特定のフォーマットのレポートを動的に作成してユーザー端末に送信するレポート生成手段を備えた請求項１及び請求項２記載のインターネット上で利用可能な経営事項審査シミュレーションシステム。
【請求項４】
前記シミュレーションシステムが、使用料金の決済と同時に利用者ＩＤと利用開始日時を格納するデータベースを備え、予め決められた時間内であれば利用者ＩＤを入力することにより再度ログインすることが可能な請求項１至３記載インターネット上で利用可能な経営事項審査シミュレーションシステム。
【発明の詳細な説明】
【技術分野】
【０００１】      本発明はインターネットを利用した経営事項審査の評点シミュレーション装置、及      びそのような評点シミュレーション装置を含む評点シミュレーションシステム、並      びにそのような評点シミュレーション装置を用いた評点シミュレーションサービス      に関する。
【背景技術】
【０００２】      従来、経営事項審査の評点シミュレーションシステムにおいては、ユーザーが予め      入手したプログラムを自らのコンピュータにインストールする方法で運用されてき      た。
【発明の開示】
【発明が解決しようとする課題】
【０００３】      しかしながら、経営事項審査のシミュレーションを行う頻度は一つの建設業者につ      き年に１度と利用頻度が低く、また経営事項審査は制度改正が頻繁でありその都度      ユーザーは修正プログラムを入手しなければならなかった。【０００４】      このことで多くのユーザーにとってシミュレーション１回あたりの運用コストが高      額になるばかりか、プログラムのインストールや設定及びデータの変換などで、ユ      ーザー自身の技術と労力が必要とされ、気軽に利用できるものではなかった。
【課題を解決するための手段】
【０００５】      本発明は前述した従来技術の問題を解決するもので、その手段は次の通りである。      請求項１の発明は、ユーザー端末に表示するグラフィックユーザーインターフェー      スの定義及び計算プログラムなど必要なファイルを全てサーバ上に設置し、ユーザ      ーはインターネット経由で閲覧プログラムを用いてサーバ上の機能を利用すること      を特徴とする。【０００６】      請求項２の発明は、経営事項審査の申請時に選択可能な申請区分の各組み合わせの      うちどの組み合わせが最も有利であるかを簡単に判断できるようにすることを目的      として、各区分の組み合わせにより生じるパターンの数だけそれぞれの区分を変更      しながら計算を繰り返し、全ての結果を一覧表示する機能を備えることを特徴とす      る。【０００７】      請求項３の発明は、計算結果を特定のフォーマットで印刷に適した形式（ＰＤＦ）      のレポートをサーバ上で生成し、ユーザー端末側で表示、印刷、保存することが可      能であることを特徴とする。【０００８】      請求項４の発明は、システム利用料金の支払いと同時にユーザー個別のＩＤと使用      開始時間又は使用終了時間をデータベースに記録する手段を具備することで、一度      接続を切断した後でも一定時間の範囲内であれば再度ログインして使用することが      可能であることを特徴とする。
【発明の効果】
【０００９】      請求項１により、利用回数に比例した料金体系となることで、特に利用頻度の低い      利用者は大幅なコスト削減が可能となり、気軽に経営事項審査のシミュレーション      を行うことができるようになる。またプログラム修正の場合も記憶媒体の配布や利      用者側での更新作業も不要となるため、制度改正への早急な対応を可能とし、同時      に利用者側が負担すべき作業を軽減することになる。【００１０】      請求項２により、何度も区分を変更しながら計算処理を実行することなく、一度で      最も有利な区分の組み合わせを選択することができる。【００１１】      請求項３により、通常の閲覧プログラムに表示される形式のものを印刷するよりも      印刷品質の高いレポートを印刷することができるようになり、このことは建設業者      が自社の内容をシミュレーションする用途の他、経営事項審査に関わるコンサルタ      ント等がサービスの一環としてシミュレーション結果を印刷して業者に提供する場      合などにも利用することができる。
【発明を実施するための最良の形態】
【００１２】      本発明の一実施形態を、図１に示す。
まず図１について、ユーザー端末１０はインターネット２０を経由してＷＥＢサー      バ３０にアクセスする。ユーザー端末から接続要求を受けたＷＥＢサーバ３０はア      プリケーションサーバ４０の受付手段４１を実行してユーザーを識別する固有の        ＩＤを入力するようユーザーに対して促す。受付手段４１は入力されたＩＤを受け      取り、データベースサーバ５０の顧客データベース５１に対して入力されたＩＤと      一致するＩＤの有無及び登録時間の問い合わせを行う。【００１３】      この時、入力されたＩＤが既にデータベースに登録され且つ登録された時間から所      定の時間を経過していない場合は処理選択手段４２を起動する。
また、入力されたＩＤがデータベースに登録されていない場合、もしくは登録され      ていても登録された日時から一定の時間が経過している場合は決済手段６０を起動      し、処理が完了したら顧客データベース５１にＩＤと利用開始時間を登録して、処      理選択手段４２を起動する。【００１４】      処理選択手段４２は計算手段４３、区分選択手段４４、レポート生成手段４５のそ      れぞれの処理を起動する手段としての機能を持つ。
【図面の簡単な説明】
【００１５】
【図１】        本発明のインターネット上で利用可能な経営事項審査シミュレーションシステム        の一実施形態の構成を示した構成図である。
【図２】        本発明のインターネット上で利用可能な経営事項審査シミュレーションシステム        の一実施形態におけるユーザー端末上の操作を示すフローチャートである。
【符号の説明】
【００１６】      １０  ユーザー端末
２０  インターネット
３０  ＷＥＢサーバ
３１  データ受信手段
３２  コンテンツ送信手段
４０  アプリケーションサーバ
４１  受付手段
４２  処理選択手段
４３  計算手段
４４  区分選択手段
４５  レポート生成手段
５０  データベースサーバ
５１  顧客データベース
６０  決済手段
【図１】
2005251151.tif 000003
【図２】
2005251151.tif 000004